(57)【要約】【課題】不織布の特徴を活用し、衛生的で軽く、素顔に優しく着用し易く、形崩れし難く、息苦しさを感じさせず、防塵性、保温性等、機能的にも木綿ガーゼ生地製マスクに優れ、リサイクルが容易な不織布製マスクを提供する。【解決手段】単繊維繊度５ｄｔｅｘ以下、繊維長１０〜７０ｍ／ｍの合成繊維５６に成り、５〜１５ｍ／ｍの間隔で飛び飛びに加熱押圧窪み５３を付形した目付け２５〜５５ｇ／ｍ2 の不織布をマスクの生地に用いる。生地は２枚を鼻先縁４３において融着一体化し、生地のコーナーに生地と同質の合成繊維を含有する閉じ紐を融着する。生地と閉じ紐との接合箇所において閉じ紐５５が露出する閉じ紐露出面と、鼻先縁４３での生地の融着代５７が露出する融着代露出面を、生地の表裏何れか同じ片面とする。【選択図】図１
0003129067.tif 000002
【実用新案登録請求の範囲】
【請求項１】
単繊維繊度が５ｄｔｅｘ以下であり、繊維長が１０〜７０ｍ／ｍの合成繊維（５６）に成り、目付けが２５〜５５ｇ／ｍ2 であり、５〜１５ｍ／ｍの間隔（ｘ，ｙ）で飛び飛びに加熱押圧されて窪んだ窪み（５３）が飛び飛びに形成され、窪み（５３）の底面において合成繊維（５６）が融着した溶融皮膜（５４）を形成している不織布によって構成され、
耳側縁（４１）と頬側縁（４２）と鼻先縁（４３）と顎側縁（４４）に周囲が囲まれた２枚の重なり合った生地（５１）・（５２）が、鼻先縁（４３）において融着一体化されてマスク本体が構成され、
その２枚の生地（５１）・（５２）が鼻先縁（４３）を境に左右対称になっており、
生地（５１・５２）の耳側縁（４１）と顎側縁（４４）とのコーナー（Ａ）と、耳側縁（４１）と頬側縁（４２）とのコーナー（Ｂ）に、それぞれ生地（５１・５２）の合成繊維（５６）と同質の合成繊維を含有する閉じ紐（５５）を重ねて融着し接合されており、
生地（５１・５２）と閉じ紐（５５）との接合箇所（５０）において閉じ紐（５５）が露出する生地（５１・５２）の閉じ紐露出面が、鼻先縁（４３）に重なり合う左右の生地（５１・５２）の融着代（５７）が露出する生地（５１・５２）の融着代露出面が、生地（５１・５２）の表裏何れか同じ片面である不織布製マスク。
【請求項２】
耳側縁（４１）と頬側縁（４２）とのコーナー（Ｂ）から鼻先縁（４３）と頬側縁（４２）とのコーナー（Ｃ）に到る距離（Ｋ＋Ｌ）が、耳側縁（４１）と顎側縁（４４）とのコーナー（Ａ）から耳側縁（４１）と頬側縁（４２）とのコーナー（Ｂ）に到る距離（Ｈ）の２．１〜２．７倍であり、
鼻先縁（４３）と頬側縁（４２）とのコーナー（Ｃ）から鼻先縁（４３）と顎側縁（４４）とのコーナー（Ｄ）に到る距離（Ｍ＋Ｎ）が、耳側縁（４１）と顎側縁（４４）とのコーナー（Ａ）から耳側縁（４１）と頬側縁（４２）とのコーナー（Ｂ）に到る距離（Ｈ）の３．０〜３．５倍であり、
鼻先縁（４３）と顎側縁（４４）とのコーナー（Ｄ）から耳側縁（４１）と顎側縁（４４）とのコーナー（Ａ）に到る距離（Ｐ＋Ｑ）が、耳側縁（４１）と顎側縁（４４）とのコーナー（Ａ）から耳側縁（４１）と頬側縁（４２）とのコーナー（Ｂ）に到る距離（Ｈ）の２．５〜３．０倍であり、
鼻先縁（４３）と顎側縁（４４）とのコーナー（Ｄ）から耳側縁（４１）と顎側縁（４４）とのコーナー（Ａ）に到る距離（Ｐ＋Ｑ）が、耳側縁（４１）と頬側縁（４２）とのコーナー（Ｂ）から鼻先縁（４３）と頬側縁（４２）とのコーナー（Ｃ）に到る距離（Ｋ＋Ｌ）よりも長く、
鼻先縁（４３）が、鼻先縁（４３）と頬側縁（４２）とのコーナー（Ｃ）と、鼻先縁（４３）と顎側縁（４４）とのコーナー（Ｄ）を結ぶ直線（ＣＤ）よりも生地（５１）の外側に膨出しており、
頬側縁（４２）が、耳側縁（４１）と頬側縁（４２）とのコーナー（Ｂ）と、鼻先縁（４３）と頬側縁（４２）とのコーナー（Ｃ）を結ぶ直線（ＢＣ）よりも生地（５１）の内側に窪んでおり、
顎側縁（４４）が、鼻先縁（４３）と顎側縁（４４）とのコーナー（Ｄ）と、耳側縁（４１）と顎側縁（４４）とのコーナー（Ａ）を結ぶ直線（ＤＡ）よりも生地（５１）の内側に窪んでおり、
頬側縁（４２）の生地（５１）の内側に窪んだ窪み量（Ｓ）が、顎側縁（４４）の生地（５１）の内側に窪んだ窪み量（Ｕ）よりも大きい前掲請求項１に記載の不織布製マスク。
【請求項３】
耳側縁（４１）と頬側縁（４２）とのコーナー（Ｂ）と、鼻先縁（４３）と頬側縁（４２）とのコーナー（Ｃ）を結ぶ直線（ＢＣ）に平行になる頬側縁（４２）における接線（６２）と、耳側縁（４１）と頬側縁（４２）とのコーナー（Ｂ）と、鼻先縁（４３）と頬側縁（４２）とのコーナー（Ｃ）を結ぶ直線（ＢＣ）との距離（Ｓ）が、コーナー（Ｂ）からコーナー（Ｃ）に到る距離（Ｋ＋Ｌ）の２１〜２５％であり、
鼻先縁（４３）と顎側縁（４４）とのコーナー（Ｄ）と、耳側縁（４１）と顎側縁（４４）とのコーナー（Ａ）を結ぶ直線（ＤＡ）に平行になる顎側縁（４４）における接線（６４）と、鼻先縁（４３）と顎側縁（４４）とのコーナー（Ｄ）と、耳側縁（４１）と顎側縁（４４）とのコーナー（Ａ）を結ぶ直線（ＤＡ）の距離（Ｕ）が、コーナー（Ｄ）からコーナー（Ａ）に到る距離（Ｐ＋Ｑ）の４〜７％であり、
鼻先縁（４３）と頬側縁（４２）とのコーナー（Ｃ）と、鼻先縁（４３）と顎側縁（４４）とのコーナー（Ｄ）を結ぶ直線（ＣＤ）に平行になる鼻先縁（４３）における接線（６３）と、鼻先縁（４３）と頬側縁（４２）とのコーナー（Ｃ）と、鼻先縁（４３）と顎側縁（４４）とのコーナー（Ｄ）を結ぶ直線（ＣＤ）との距離（Ｔ）が、鼻先縁（４３）と頬側縁（４２）とのコーナー（Ｃ）から鼻先縁（４３）と顎側縁（４４）とのコーナー（Ｄ）に到る距離（Ｍ＋Ｎ）の１９〜２３％であり、
耳側縁（４１）と頬側縁（４２）とのコーナー（Ｂ）と、鼻先縁（４３）と頬側縁（４２）とのコーナー（Ｃ）を結ぶ直線（ＢＣ）に平行になる頬側縁（４２）における接線（６２）の接点（Ｅ）から、コーナー（Ｂ）とコーナー（Ｃ）を結ぶ直線（ＢＣ）に下ろした垂線の足（Ｅ’）とコーナー（Ｂ）との距離（Ｋ）と、その垂線の足（Ｅ’）とコーナー（Ｃ）との距離（Ｌ）との比（Ｋ／Ｌ）が、Ｋ：Ｌ＝５０：５０〜４４：５６であり、
鼻先縁（４３）と頬側縁（４２）とのコーナー（Ｃ）と、鼻先縁（４３）と顎側縁（４４）とのコーナー（Ｄ）を結ぶ直線（ＣＤ）に平行になる鼻先縁（４３）における接線（６３）の接点（Ｆ）から、コーナー（Ｃ）とコーナー（Ｄ）を結ぶ直線（ＣＤ）に下ろした垂線の足（Ｆ’）とコーナー（Ｃ）との距離（Ｍ）と、その垂線の足（Ｆ’）とコーナー（Ｄ）との距離（Ｎ）との比（Ｍ／Ｎ）が、Ｍ：Ｎ＝４８：５２〜４２：５８であり、
鼻先縁（４３）と顎側縁（４４）とのコーナー（Ｄ）と、耳側縁（４１）と顎側縁（４４）とのコーナー（Ａ）を結ぶ直線（ＤＡ）に平行になる顎側縁（４４）における接線（６４）の接点（Ｇ）から、コーナー（Ｄ）とコーナー（Ａ）を結ぶ直線（ＤＡ）に下ろした垂線の足（Ｇ’）とコーナー（Ｄ）との距離（Ｐ）と、その垂線の足（Ｇ’）とコーナー（Ａ）との距離（Ｑ）との比（Ｐ／Ｑ）が、Ｐ：Ｑ＝２１：７９〜２７：７３である前掲請求項１と２の何れかに記載の不織布製マスク。
【請求項４】
鼻先縁（４３）と頬側縁（４２）とのコーナー（Ｃ）から、鼻先縁（４３）と頬側縁（４２）とのコーナー（Ｃ）と、鼻先縁（４３）と顎側縁（４４）とのコーナー（Ｄ）を結ぶ直線（ＣＤ）に平行になる鼻先縁（４３）における接線（６３）の接点（Ｆ）に到る鼻先縁（４３）の上側部分の曲率半径（Ｒ）が、その接線（６３）の接点（Ｆ）からコーナー（Ｄ）に到る鼻先縁（４３）の下側部分の曲率半径（Ｚ）よりも小さく、
鼻先縁（４３）の上側部分の曲率半径（Ｒ）が５０〜７０ｍ／ｍであり、鼻先縁（４３）の下側部分の曲率半径（Ｚ）が１００〜１４０ｍ／ｍであり、
鼻先縁（４３）の下側部分の曲率半径（Ｚ）が、鼻先縁（４３）の上側部分の曲率半径（Ｒ）の１．５〜２．５倍である前掲請求項１と２と３の何れかに記載の不織布製マスク。
【請求項５】
生地（５１・５２）が複数枚の不織布を重ねて構成されている前掲請求項１と２と３と４の何れかに記載の不織布製マスク。
【考案の詳細な説明】
【技術分野】
【０００１】
本考案は、不織布製マスクに関するものである。
【背景技術】
【０００２】
不織布製マスクは公知である（例えば、特許文献１・２参照）。
【０００３】
【特許文献１】登録実用新案第３１００６００号公報
【特許文献２】登録実用新案第３１０６８６４号公報
【考案の開示】
【考案が解決しようとする課題】
【０００４】
従来公知の不織布製マスクは、古来マスクに使用の木綿繊維製ガーゼ生地に比して遥かに安価な不織布を使用したに過ぎず、木綿繊維製ガーゼ生地とは異なる不織布の特徴は活用されておらず、安価な使い捨てマスクとのイメージが強い。
【０００５】
そこで本考案は、不織布の特徴を活用し、衛生的で軽く、素顔に優しく着用し易く、形崩れし難く、息苦しさを感じさせず、防塵性、保温性等、機能的にも木綿ガーゼ生地製マスクに優れ、リサイクルが容易な不織布製マスクを提供することを目的とする。
【課題を解決するための手段】
【０００６】
本考案に係る不織布製マスクは、単繊維繊度が５ｄｔｅｘ以下であり、繊維長が１０〜７０ｍ／ｍの合成繊維５６に成り、目付けが２５〜５５ｇ／ｍ2 であり、５〜１５ｍ／ｍの間隔（ｘ，ｙ）で飛び飛びに加熱押圧されて窪んだ窪み５３が飛び飛びに形成され、窪み５３の底面において合成繊維５６が融着した溶融皮膜５４を形成している不織布によって構成され、
耳側縁４１と頬側縁４２と鼻先縁４３と顎側縁４４に周囲が囲まれた２枚の重なり合った生地５１・５２が、鼻先縁４３において融着一体化されてマスク本体が構成され、
その２枚の生地５１・５２が鼻先縁４３を境に左右対称になっており、
生地５１（５２）の耳側縁４１と顎側縁４４とのコーナーＡと、耳側縁４１と頬側縁４２とのコーナーＢに、それぞれ生地５１（５２）の合成繊維５６と同質の合成繊維を含有する閉じ紐５５を重ねて融着し接合されており、
生地５１（５２）と閉じ紐５５との接合箇所５０において閉じ紐５５が露出する生地５１（５２）の閉じ紐露出面が、鼻先縁４３に重なり合う左右の生地５１（５２）の融着代５７が露出する生地５１（５２）の融着代露出面が、生地５１（５２）の表裏何れか同じ片面であることを第１の特徴とする。
【０００７】
本考案に係る不織布製マスクの第２の特徴は、上記第１の特徴に加えて、耳側縁４１と頬側縁４２とのコーナーＢから鼻先縁４３と頬側縁４２とのコーナーＣに到る距離（Ｋ＋Ｌ）が、耳側縁４１と顎側縁４４とのコーナーＡから耳側縁４１と頬側縁４２とのコーナーＢに到る距離Ｈの２．１〜２．７倍であり、
鼻先縁４３と頬側縁４２とのコーナーＣから鼻先縁４３と顎側縁４４とのコーナーＤに到る距離（Ｍ＋Ｎ）が、耳側縁４１と顎側縁４４とのコーナーＡから耳側縁４１と頬側縁４２とのコーナーＢに到る距離Ｈの３．０〜３．５倍であり、
鼻先縁４３と顎側縁４４とのコーナーＤから耳側縁４１と顎側縁４４とのコーナーＡに到る距離（Ｐ＋Ｑ）が、耳側縁４１と顎側縁４４とのコーナーＡから耳側縁４１と頬側縁４２とのコーナーＢに到る距離Ｈの２．５〜３．０倍であり、
鼻先縁４３と顎側縁４４とのコーナーＤから耳側縁４１と顎側縁４４とのコーナーＡに到る距離（Ｐ＋Ｑ）が、耳側縁４１と頬側縁４２とのコーナーＢから鼻先縁４３と頬側縁４２とのコーナーＣに到る距離（Ｋ＋Ｌ）よりも長く、
鼻先縁４３が、鼻先縁４３と頬側縁４２とのコーナーＣと、鼻先縁４３と顎側縁４４とのコーナーＤを結ぶ直線（ＣＤ）よりも生地５１の外側に膨出しており、
頬側縁４２が、耳側縁４１と頬側縁４２とのコーナーＢと、鼻先縁４３と頬側縁４２とのコーナーＣを結ぶ直線（ＢＣ）よりも生地５１の内側に窪んでおり、
顎側縁４４が、鼻先縁４３と顎側縁４４とのコーナーＤと、耳側縁４１と顎側縁４４とのコーナーＡを結ぶ直線（ＤＡ）よりも生地５１の内側に窪んでおり、
頬側縁４２の生地５１の内側に窪んだ窪み量Ｓが、顎側縁４４の生地５１の内側に窪んだ窪み量Ｕよりも大きい点にある。
【０００８】
本考案に係る不織布製マスクの第３の特徴は、上記第１と第２の何れかの特徴に加えて、耳側縁４１と頬側縁４２とのコーナーＢと、鼻先縁４３と頬側縁４２とのコーナーＣを結ぶ直線（ＢＣ）に平行になる頬側縁４２における接線６２と、耳側縁４１と頬側縁４２とのコーナーＢと、鼻先縁４３と頬側縁４２とのコーナーＣを結ぶ直線（ＢＣ）との距離Ｓが、コーナーＢからコーナーＣに到る距離（Ｋ＋Ｌ）の２１〜２５％であり、
鼻先縁４３と顎側縁４４とのコーナーＤと、耳側縁４１と顎側縁４４とのコーナーＡを結ぶ直線（ＤＡ）に平行になる顎側縁４４における接線６４と、鼻先縁４３と顎側縁４４とのコーナーＤと、耳側縁４１と顎側縁４４とのコーナーＡを結ぶ直線（ＤＡ）の距離Ｕが、コーナーＤからコーナーＡに到る距離（Ｐ＋Ｑ）の４〜７％であり、
鼻先縁４３と頬側縁４２とのコーナーＣと、鼻先縁４３と顎側縁４４とのコーナーＤを結ぶ直線（ＣＤ）に平行になる鼻先縁４３における接線６３と、鼻先縁４３と頬側縁４２とのコーナーＣと、鼻先縁４３と顎側縁４４とのコーナーＤを結ぶ直線（ＣＤ）との距離Ｔが、鼻先縁４３と頬側縁４２とのコーナーＣから鼻先縁４３と顎側縁４４とのコーナーＤに到る距離（Ｍ＋Ｎ）の１９〜２３％であり、
耳側縁４１と頬側縁４２とのコーナーＢと、鼻先縁４３と頬側縁４２とのコーナーＣを結ぶ直線（ＢＣ）に平行になる頬側縁４２における接線６２の接点Ｅから、コーナーＢとコーナーＣを結ぶ直線（ＢＣ）に下ろした垂線の足Ｅ’とコーナーＢとの距離Ｋと、その垂線の足Ｅ’とコーナーＣとの距離Ｌとの比（Ｋ／Ｌ）が、Ｋ：Ｌ＝５０：５０〜４４：５６であり、
鼻先縁４３と頬側縁４２とのコーナーＣと、鼻先縁４３と顎側縁４４とのコーナーＤを結ぶ直線（ＣＤ）に平行になる鼻先縁４３における接線６３の接点Ｆから、コーナーＣとコーナーＤを結ぶ直線（ＣＤ）に下ろした垂線の足Ｆ’とコーナーＣとの距離Ｍと、その垂線の足Ｆ’とコーナーＤとの距離Ｎとの比（Ｍ／Ｎ）が、Ｍ：Ｎ＝４８：５２〜４２：５８であり、
鼻先縁４３と顎側縁４４とのコーナーＤと、耳側縁４１と顎側縁４４とのコーナーＡを結ぶ直線（ＤＡ）に平行になる顎側縁４４における接線６４の接点Ｇから、コーナーＤとコーナーＡを結ぶ直線（ＤＡ）に下ろした垂線の足Ｇ’とコーナーＤとの距離Ｐと、その垂線の足Ｇ’とコーナーＡとの距離Ｑとの比（Ｐ／Ｑ）が、Ｐ：Ｑ＝２１：７９〜２７：７３である点にある。
【０００９】
本考案に係る不織布製マスクの第４の特徴は、上記第１、第２および第３の何れかの特徴に加えて、鼻先縁４３と頬側縁４２とのコーナーＣから、鼻先縁４３と頬側縁４２とのコーナーＣと、鼻先縁４３と顎側縁４４とのコーナーＤを結ぶ直線（ＣＤ）に平行になる鼻先縁４３における接線６３の接点Ｆに到る鼻先縁の上側部分の曲率半径Ｒが、その接線６３の接点ＦからコーナーＤに到る鼻先縁の下側部分の曲率半径Ｚよりも小さく、
鼻先縁４３の上側部分の曲率半径Ｒが５０〜７０ｍ／ｍであり、鼻先縁４３の下側部分の曲率半径Ｚが１００〜１４０ｍ／ｍであり、
鼻先縁４３の下側部分の曲率半径Ｚが、鼻先縁４３の上側部分の曲率半径Ｒの１．５〜２．５倍である点にある。
【００１０】
本考案に係る不織布製マスクの第５の特徴は、上記第１、第２、第４および第４の何れかの特徴に加えて、生地５１（５２）が複数枚の不織布を重ねて構成されている点にある。
【考案の効果】
【００１１】
本考案（請求項１）において、不織布６１に使用の繊維５６は、単繊維繊度が５ｄｔｅｘ以下で細く、繊維長が１０〜７０ｍ／ｍの短繊維であり、紡績カードによってラップ（繊維集積シート）に調製されて不織布を構成しているので、その不織布は、目付けが２５〜５５ｇ／ｍ2 であっても嵩高で繊維間の隙間も細かく、塵埃が透過し難く、低目付けであることからして通気性に富み、フィルターとしての防塵機能に富む。
【００１２】
その不織布は、目付けが２５〜５５ｇ／ｍ2 で軽く、通気性に富むので、本考案のマスクは、格別着用しているとの感触を与えず、着用して息苦しく感じられることもない。
又、そのように生地５１・５２の目付けが２５〜５５ｇ／ｍ2 であれば、乾燥し易く、吐息が結露し難く、結露による蒸れやベトツキ、結露による汚染も少なく、不快感を与えず、マスクの洗浄・乾燥が容易で清潔に保たれる。
【００１３】
特に、短繊維に成る低目付けの不織布は、伸び易く形状が不安定であるが、本考案では、飛び飛びに窪んだ窪み５３において繊維間が融着しているので形状が安定し、窪み５３と窪み５３の間の未接合部分５９では繊維間がフリーになっていて伸縮し、顔肌の起伏に馴染み易い。
そして、鼻先縁の融着代５７や閉じ紐５５の接合箇所５０では、繊維間が融着して固い溶融皮膜を形成しているとしても、それらの露出面は生地の同じ片面であり、その露出面を外側に向ければ、その固い溶融皮膜が不快感を与えることがなく、又、窪み５３における溶融皮膜５４も窪んだ谷底にあって直接顔肌に触れることがなく不快感を与えない。
却って、細かい間隔（ｘ，ｙ）で飛び飛びに窪み５３を設けるときは、生地５１（５２）と顔肌との接触面積が少なくなるので、着用してマスクから受ける蒸れやベトツキ感も解消される。
目付けが２５〜５５ｇ／ｍ2 の不織布は、閉じ紐５５よりも弱く、その閉じ紐５５との接合箇所５０は、閉じ紐５５よりも更に脆弱なので、マスクの廃棄時に閉じ紐５５を強く引っ張れば、その接合箇所５０が破れて生地５１・５２と閉じ紐５５とに容易に分離するので、生地５１・５２と閉じ紐５５の材質が異なっていても、それらを分別して回収し易くなり、それらの資材のリサイクルが容易になる。
【００１４】
本考案（請求項２）では、鼻先縁４３が、鼻先縁４３と頬側縁４２とのコーナーＣと、鼻先縁４３と顎側縁４４とのコーナーＤを結ぶ直線（ＣＤ）よりも生地５１（５２）の外側に膨出し、マスクの鼻先部分が袋状になっており、着用時に、その袋状部分に鼻先が嵌まり込む恰好になり、鼻先が生地に直接触れ難い。
一方、頬側縁４２が、耳側縁４１と頬側縁４２とのコーナーＢと、鼻先縁４３と頬側縁４２とのコーナーＣを結ぶ直線（ＢＣ）よりも生地５１（５２）の内側に窪んでおり、又、顎側縁４４も、鼻先縁４３と顎側縁４４とのコーナーＤと、耳側縁４１と顎側縁４４とのコーナーＡを結ぶ直線（ＤＡ）よりも生地５１（５２）の内側に窪んでおり、頬側縁４２と顎側縁４４が頬肌や顎肌の起伏に馴染んで密着し易く、その密着する頬側縁４２や顎側縁４４によって相対的に鼻先縁４３が押し上げられて鼻先から離れ易くなり、マスクの鼻先部分と鼻先の間に隙間が出来易く、着用時に息苦しさを与えず、鼻先部分と鼻先の間に隙間が断熱層を構成し、又、その隙間に籠もる吐息によって保温感を受けることになる。
【００１５】
特に、頬側縁４２の生地５１（５２）の内側に窪む窪み量Ｓを、顎側縁４４の生地５１（５２）の内側に窪む窪み量Ｕよりも大きくすると、マスクの鼻先部分がこめかみまで膨出し、鼻先縁４３と頬側縁４２とのコーナー部分（Ｃ）が鼻と頬の間の窪みに密着し、にこめかみに到る鼻先全体が、キャップを被せたかの如く、鼻先縁４３と、鼻先縁４３と頬側縁４２とのコーナーＣと鼻先縁４３と顎側縁４４とのコーナーＤを結ぶ直線（ＣＤ）に囲まれる鼻先縁の袋状部分に包まれる一方、頬側縁４２や顎側縁４４が頬肌や顎肌の起伏に馴染んで密着し易くなる。
その結果、頬側縁４２と頬肌の間、および、顎側縁４４と顎肌の間からの空気の出入りが抑えられ、生地５１（５２）を透過する空気の透過量が相対的に増えて、マスクのフィルター機能が高まる。
【００１６】
特に、頬側縁４２の窪み量ＳをコーナーＢからコーナーＣに到る距離（Ｋ＋Ｌ）の２１〜２５％（≒２３±２％）とし、顎側縁４４の窪み量ＵをコーナーＤからコーナーＡに到る距離（Ｐ＋Ｑ）の４〜７％（≒５±２％）とし、頬側縁４２の窪み底ＥからコーナーＢまでの長さ（Ｋ）と、その窪み底ＥからコーナーＣまでの長さ（Ｌ）との比（Ｋ：Ｌ）を５０：５０〜４４：５６（≒４７：５３）とし、顎側縁４４の窪み底ＧからコーナーＤまでの長さ（Ｐ）と、その窪み底ＧからコーナーＡまでの長さ（Ｑ）との比（Ｐ：Ｑ）を２１：７９〜２７：７３（≒２４：７６）にすると（請求項３）、頬側縁４２や顎側縁４４が頬肌や顎肌に密着し易くなる。
そして、鼻先縁４３の膨出量ＴをコーナーＣからコーナーＤに到る距離（Ｍ＋Ｎ）の１９〜２３％（≒２１±２％）とし、鼻先縁４３の膨出端（Ｆ）からコーナーＣまでの長さ（Ｍ）と、その膨出端（Ｆ）からコーナーＤまでの長さ（Ｎ）との比（Ｍ：Ｎ）を４８：５２〜４２：５８（≒４５：５５）にすると（請求項３）、鼻先全体が、キャップを被せたかの如く、鼻先縁の袋状部分に包まれ、頬側縁４２や顎側縁４４が頬肌や顎肌に密着し、マスクのフィルター機能が更に高まる。
【００１７】
そして本考案（請求項４）では、鼻先縁４３の膨出端（Ｆ）からコーナーＤに到る下側部分の曲率半径Ｚを、鼻先縁４３の膨出端（Ｆ）からコーナーＣに到る上側部分の曲率半径Ｒの１．５〜２．５倍としたので、マスクの鼻先部分と鼻先の間に隙間が出来易く、着用時に息苦しさを与えず、鼻先部分と鼻先の間に断熱空気層が出来、その空気層に籠もる吐息による保温効果のあるマスクが得られる。
そのためには、鼻先縁４３の上側部分の曲率半径Ｒを５０〜７０ｍ／ｍ（≒６０±１０ｍ／ｍ）とし、鼻先縁４３の下側部分の曲率半径Ｚを１００〜１４０ｍ／ｍ（≒１２０±２０ｍ／ｍ）とするとよい。
【００１８】
そして本考案（請求項５）では、生地５１（５２）を複数枚の不織布を重ねて構成することとしたので、その重ねる不織布の枚数によって生地５１（５２）の目付けを需要に応じて変えることが出来、目付けの異なる幾種類もの不織布を用意する必要がなく、不織布製マスクの資材コスト低減を図ることが出来る。
【００１９】
かくして、本考案によると、衛生的で軽く、素顔に優しく着用し易く、形崩れし難く、息苦しさを感じさせず、防塵性、保温性等、機能的にも木綿ガーゼ生地製マスクに優れ、リサイクルが容易な不織布製マスクを安価に得ることが出来る。
【考案を実施するための最良の形態】
【００２０】
窪み５３は電熱ヒーターや超音波ミシンを用いて不織布を飛び飛びに加熱押圧して予め形成しておく。
窪み５３の間隔（ｘ，ｙ）は５〜７ｍ／ｍにするとよく、窪み５３は直径０．５〜３ｍ／ｍの円形にするとよい。
【００２１】
不織布は２枚重ねにし、その２枚の不織布を鼻先縁４３に沿って電熱ヒーターや超音波ミシンを用いて融着し、耳側縁４１と頬側縁４２と顎側縁４４に沿って打ち抜き裁断してマスク本体をつくる。
その生地５１（５２）と閉じ紐５５とは、生地５１（５２）のコーナーＡ・コーナーＢに閉じ紐５５を載せ、電熱ヒーターや超音波ミシンを用いて融着接合する。
【００２２】
不織布には、公定水分率が０（ゼロ）のポリエステル繊維かポリプロピレン繊維を、好ましくは、高融点ポリエステルを芯成分とし低融点ポリエステルを鞘成分とする芯鞘複合ポリエステル繊維または高融点ポリエステルを島成分とし低融点ポリエステルを海成分とする海島複合ポリエステル繊維を使用するとよい。そのように公定水分率が０（ゼロ）の繊維５６に成るマスクでは、結露した吐息によって汚染しても洗浄し易く、特に、生地の目付けが２５〜５５ｇ／ｍ2 であれば脱水し易く乾き易いので、常に清潔に保たれる。
ポリエステル繊維は、ポリエチレンテレフタレート、ポリトリメチレンテレフタレート、ポリブチレンテレフタレートの何れを素材とするものであってもよい。
それらの繊維の単繊維繊度を２ｄｔｅｘ以下にすると、目付けが同じであっても不織布を構成する繊維の合計表面積が増え、繊維間隙間５８も微細になり、マスクのフィルター機能が高まり、マスクの更なる軽量化が可能になる。
【００２３】
閉じ紐５５には、不織布の同質の繊維とナイロンやスパンデックス（ポリウレタン弾性繊維）を混用した組紐を使用するとよい。
生地５１（５２）には、殺菌剤、抗菌剤、消臭剤、芳香剤などの機能性成分が適宜付与される。
【００２４】
鼻先縁４３と頬側縁４２とのコーナーＣでは鼻先縁４３に接する接線と頬側縁４２に接する接線を直交（交叉角度８０〜９０°）させ、鼻先縁４３と顎側縁４４とのコーナーＤでは鼻先縁４３に接する接線と顎側縁４４に接する接線を直交させる。耳側縁４１と顎側縁４４とのコーナーＡ、および、耳側縁４１と頬側縁４２とのコーナーＢは、丸みを帯びた形状にする。
【図面の簡単な説明】
【００２５】
【図１】本考案に係る不織布製マスクの着用状態での斜視図である。
【図２】本考案に係る不織布製マスクの側面図である。
【図３】本考案に係る不織布製マスクの生地の平面図である。
【図４】本考案に係る不織布製マスクの生地の断面図である。
【符号の説明】
【００２６】
４１  耳側縁
４２  頬側縁
４３  鼻先縁
４４  顎側縁
５０  接合箇所
５１・５２  生地
５３  窪み
５４  皮膜
５５  閉じ紐
５６  繊維
５７  融着代
５８  繊維間隙間
５９  未接合部分
６１  不織布
６２・６３・６４  接線
【図１】
0003129067.tif 000003
【図２】
0003129067.tif 000004
【図３】
0003129067.tif 000005
【図４】
0003129067.tif 000006